(57)【要約】
【課題】　少数の能動素子でテレビジョン信号又はＦＭ放送信号を切り替えて入力同調回路に入力し、テレビジョン信号の受信時における信号ロスを少なくし、ＦＭ放送信号とテレビジョン信号との間のアイソレーションを高める。
【解決手段】　ＦＭ放送信号が入力される第二の入力端子１１と入力同調回路６の入力端６ａとの間にはテレビジョン信号の受信時にオフし、ＦＭ放送信号の受信時にオンするダイオード１３、１４を介挿し、少なくともダイオード１３、１４を搭載するプリント基板３０を設け、プリント基板３０上にはダイオード１３、１４のアノード端子とカソード端子とをそれぞれ接続するための半田接続ランド３０ａ〜３０ｄを設け、二つの半田接続ランド３０ａ、３０ｃ間３０ｂ、３０ｄ間には搭載されたダイオード１３、１４とクロスする配線導体３０ｆを設け、配線導体３０ｆを高周波的に接地した。
【選択図】　　　　図１
0003100016.tif 000002
【実用新案登録請求の範囲】
【請求項１】
テレビジョン信号が入力される第一の入力端子と、ＦＭ放送信号が入力される第二の入力端子と、前記テレビジョン信号及び前記ＦＭ放送信号に同調する入力同調回路とを備え、前記第二の入力端子と前記入力同調回路の入力端との間には前記テレビジョン信号の受信時にオフし、前記ＦＭ放送信号の受信時にオンするダイオードを介挿し、少なくとも前記ダイオードを搭載するプリント基板を設け、前記プリント基板上には前記ダイオードのアノード端子とカソード端子とをそれぞれ接続するための半田接続ランドを設け、前記二つの半田接続ランド間には搭載された前記ダイオードとクロスする配線導体を設け、前記配線導体を高周波的に接地したことを特徴とするテレビジョンチューナの入力回路。
【請求項２】
前記ダイオードは直列接続された第一及び第二のダイオードを有し、前記配線導体を前記第一及び第二のダイオードにそれぞれクロスさせたことを特徴とする請求項１に記載のテレビジョンチューナの入力回路。
【請求項３】
前記第一の入力端子と前記入力同調回路の入力端との間にはＦＭ放送帯を減衰するＦＭトラップ回路を介挿し、前記第一のダイオードを前記入力同調回路側に配置すると共に前記第二のダイオードを前記第二の入力端子側に配置し、前記第一のダイオードと前記ＦＭトラップ回路の出力端との間に第三のダイオードを介挿すると共に、前記第一のダイオードと前記ＦＭトラップ回路の入力端との間に第四のダイオードを介挿し、前記第三及び第四のダイオードを前記第一及び第二のダイオードとともにオン又はオフに切り替えたことを特徴とする請求項２に記載のテレビジョンチューナの入力回路。
【考案の詳細な説明】
【技術分野】
【０００１】
　本考案は、テレビジョン信号又はＦＭ放送信号を切り替えて入力同調回路に入力するテレビジョンチューナの入力回路に関する。
【背景技術】
【０００２】
　図４は従来のテレビジョンチューナの入力回路を示す。テレビジョン信号が入力される第一の入力端４１と出力端４２との間には、ハイパスフィルタ４３、ＣＢ帯（２７ＭＨｚ帯）のトラップ回路４４、第一のスイッチ回路４５が順次介挿される。第一のスイッチ回路４５はアノード同士が互いに接続されて第一の入力端４１と出力端４２との間に直列に介挿された二つのスイッチダイオード４５ａ、４５ｂと、カソードがスイッチダイオード４５ａ、４５ｂのアノードに接続され、アノードが高周波的に接地されたスイッチダイオード４５ｃとを有する。そして、スイッチダイオード４５ａ、４５ｂのアノードとスイッチダイオード４５ｃのカソードとの接続点が電源端子４６に接続され、スイッチダイオード４５ａ、４５ｂのカソードとスイッチダイオード４５ｃのアノードとが切替端子４７に接続される。
【０００３】
　ＦＭ放送信号が入力される第二の入力端４８と出力端４２との間には、ＦＭ放送信号を通過するハイパスフィルタ４９、第二のスイッチ回路５０が順次介挿される。スイッチ回路５０はアノード同士が互いに接続されて第二の入力端４８と出力端４２との間に直列に介挿された二つのスイッチダイオード５０ａ、５０ｂと、カソードがスイッチダイオード５０ａ、５０ｂのアノードに接続され、アノードが高周波的に接地されたスイッチダイオード５０ｃとを有する。そして、スイッチダイオード５０ａ、５０ｂのアノードとスイッチダイオード５０ｃのカソードとの接続点が切替端子４７に接続され、スイッチダイオード５０ａ、５０ｂのカソードとスイッチダイオード５０ｃのアノードとがスイッチトランジスタ５２のコレクタに接続される。スイッチトランジスタ５２のコレクタは電源端子４６に接続され、ベースは切替端子４７に接続され、エミッタは接地される。
【０００４】
　また、図示はしないが、出力端４２の後段にはテレビジョン信号又はＦＭ放送信号の各周波数に同調する入力同調回路が設けられる。
【０００５】
　以上の構成において、テレビジョン信号を受信する場合には、切替端子４７にローレベルの切替電圧（例えば、０ボルト）が印加される。すると、第一のスイッチ回路４５におけるスイッチダイオード４５ａ、４５ｂがオンとなり、スイッチダイオード４５ｃがオフとなる。従って、第一の入力端４１に入力されたテレビジョン信号は第一のスイッチ回路４５を通過して出力端４２に出力される。
【０００６】
　このとき、スイッチトランジスタ５２はオフとなるので、第二のスイッチ回路５０におけるスイッチダイオード５０ａ、５０ｂはオフとなり、スイッチダイオード５０ｃはオンとなる。従って、第二の入力端４８に入力されたＦＭ放送信号は第二のスイッチ回路５０によって阻止され、出力端４２には出力されない。
【０００７】
　一方、ＦＭ放送信号を受信する場合には、切替端子４７にハイレベルの切替電圧（例えば、電源端子４６に印加されている電圧と等しい電圧）が印加される。すると、第一のスイッチ回路４５におけるスイッチダイオード４５ａ、４５ｂがオフとなり、スイッチダイオード４５ｃがオンとなる。従って、第一の入力端４１に入力されたテレビジョン信号は阻止されて出力端４２に出力されない。
　このとき、スイッチトランジスタ５２はオンとなるので、第二のスイッチ回路５０におけるスイッチダイオード５０ａ、５０ｂはオンとなり、スイッチダイオード５０ｃはオフとなる。従って、第二の入力端４８に入力されたＦＭ放送信号は第二のスイッチ回路５０を通過して出力端４２に出力される（例えば、特許文献１参照。）。
【０００８】
【特許文献１】特開２００２−０７６９６８号公報（図３）
【考案の開示】
【考案が解決しようとする課題】
【０００９】
　上記の構成で、テレビジョン信号の受信時に第二のスイッチ回路５０におけるスイッチダイオード５０ａ、５０ｂをオフすると、その両端子間には小容量（１ｐＦ以下の端子間容量性分）が存在するので、入力されたＦＭ放送信号の一部が出力端に出力され、テレビジョン信号に重畳される。
　同様に、ＦＭ放送信号の受信時に第一のスイッチ回路４５におけるスイッチダイオード４５ａ、４５ｂがオフのときは、その両端間には小容量（端子間容量性分）が存在するので、入出力間が結合するので、入力されたテレビジョン信号の一部が出力端に出力され、ＦＭ放送信号に重畳される。
　この結果、信号相互間のアイソレーションが劣化するという問題が起きるが、特に映像信号を含むテレビジョン信号に対するＦＭ放送信号による妨害が問題となる。
【００１０】
　また、二つのスイッチ回路には合計６個のスイッチダイオードが使用されるのでコスト上昇を招く。さらに、音声だけのＦＭ放送を受信する場合よりも映像信号を伴うテレビ放送を受信する場合のほうがＮＦ等の電気的が要求されるのにも係わらず、テレビジョン信号が二つのダイオードを介して入力同調回路に入力されるので、ダイオードによる信号ロスでＮＦが悪化するという問題がある。
【００１１】
　本考案は、少数の能動素子でテレビジョン信号又はＦＭ放送信号を切り替えて入力同調回路に入力し、テレビジョン信号の受信時における信号ロスを少なくし、ＦＭ放送信号とテレビジョン信号との間のアイソレーションを高めることを目的とする。
【課題を解決するための手段】
【００１２】
　上記課題を解決するため、テレビジョン信号が入力される第一の入力端子と、ＦＭ放送信号が入力される第二の入力端子と、前記テレビジョン信号及び前記ＦＭ放送信号に同調する入力同調回路とを備え、前記第二の入力端子と前記入力同調回路の入力端との間には前記テレビジョン信号の受信時にオフし、前記ＦＭ放送信号の受信時にオンするダイオードを介挿し、少なくとも前記ダイオードを搭載するプリント基板を設け、前記プリント基板上には前記ダイオードのアノード端子とカソード端子とをそれぞれ接続するための半田接続ランドを設け、前記二つの半田接続ランド間には搭載された前記ダイオードとクロスする配線導体を設け、前記配線導体を高周波的に接地した。
【００１３】
　また、前記ダイオードは直列接続された第一及び第二のダイオードを有し、前記配線導体を前記第一及び第二のダイオードにそれぞれクロスさせた。
【００１４】
　また、前記第一の入力端子と前記入力同調回路の入力端との間にはＦＭ放送帯を減衰するＦＭトラップ回路を介挿し、前記第一のダイオードを前記入力同調回路側に配置すると共に前記第二のダイオードを前記第二の入力端子側に配置し、前記第一のダイオードと前記ＦＭトラップ回路の出力端との間に第三のダイオードを介挿すると共に、前記第一のダイオードと前記ＦＭトラップ回路の入力端との間に第四のダイオードを介挿し、前記第三及び第四のダイオードを前記第一及び第二のダイオードとともにオン又はオフに切り替えた。
【考案の効果】
【００１５】
　本考案では、ＦＭ放送信号が入力される第二の入力端子と入力同調回路の入力端との間にはテレビジョン信号の受信時にオフし、ＦＭ放送信号の受信時にオンするダイオードを介挿し、少なくともダイオードを搭載するプリント基板を設け、プリント基板上にはダイオードのアノード端子とカソード端子とをそれぞれ接続するための半田接続ランドを設け、二つの半田接続ランド間には搭載されたダイオードとクロスする配線導体を設け、配線導体を高周波的に接地したので、半田接続ランドと配線導体との間には浮遊容量が形成される。よって、ダイオードが負となった時に入力されたＦＭ放送信号がこの浮遊容量によって減衰するので、テレビジョン信号受信時のＦＭ放送信号による妨害が起きにくくなる。
【００１６】
　また、ダイオードは直列接続された第一及び第二のダイオードを有し、配線導体を第一及び第二のダイオードにそれぞれクロスさせたのでＦＭ放送信号を一層減衰させることができる。
【００１７】
　また、第一の入力端子と前記入力同調回路の入力端との間にはＦＭ放送帯を減衰するＦＭトラップ回路を介挿し、第一のダイオードを入力同調回路側に配置すると共に第二のダイオードを第二の入力端子側に配置し、第一のダイオードとＦＭトラップ回路の出力端との間に第三のダイオードを介挿すると共に、第一のダイオードとＦＭトラップ回路の入力端との間に第四のダイオードを介挿し、第三及び第四のダイオードを記第一及び第二のダイオードとともにオン又はオフに切り替えたので、テレビジョン信号はダイオードを介することなく入力同調回路に入力される。よって、ダイオードによる信号ロスがないのでＮＦが改善される。
【考案を実施するための最良の形態】
【００１８】
　以下、図１、図２に従って本考案を説明する。図１は本考案のテレビジョンチューナの入力回路を示す。図１において、テレビジョン信号が入力される第一の端子１はＣＢバンドを減衰するＣＢラップ２によってシャントされると共に、中間周波帯を減衰するＩＦトラップ回路３、ＦＭ放送帯を減衰するＦＭトラップ回路４、結合用容量素子５を順次介して入力同調回路６の入力端６ａに結合される。ＩＦトラップ回路３及びＦＭトラップ回路４はそれぞれ並列共振回路で構成される。また、結合用容量素子５には抵抗７が並列に接続される。入力同調回路６はＶＨＦ帯のローバンド又はハイバンドに同調するようにダイオード６ｂによって切り替えられる。
【００１９】
　一方、ＦＭ放送信号が入力される第二の端子１１は第二のダイオード１３、インダクタンス素子１２、第一のダイオード１４、第三のダイオード１５、結合用容量素子５を順次直列に介して入力同調回路６の入力端６ａに結合される。第三のダイオード１５と第一のダイオード１４とはカソード同士が相互に接続され、第一のダイオード１４と第二のダイオード１３とはアノード同士が相互に接続される。そして、第三のダイオード１５が入力同調回路６側に配置され、第二のダイオード１３が第二の入力端子１１側に配置される。また、ＩＦトラップ回路３とＦＭトラップ回路４との接続点には第四のダイオード１６のアノードが接続され、そのカソードは第三のダイオード１５と第一のダイオード１４との接続点に接続される。
【００２０】
　第三のダイオード１５及び第一のダイオード１４及び第四のダイオード１５のカソード同士の接続点は第一の容量素子１７によって接地され、第二のダイオードのアノードに接続されたインダクタンス素子１２と第一のダイオード１４のアノードとの接続点は第二の容量素子１８によって接地される。これら第一及び第二の容量素子１７、１８は、第一のダイオード１４がオンとなったときにインダクタンス素子１２とともにローパスフィルタを構成するものであり、容量値は互いに等しいことが望ましい。
【００２１】
　電源電圧Ｂを抵抗によって分圧してバイアス電圧を生成する分圧回路２１と、エミッタが接地されると共にコレクタが給電抵抗２２によって電源電圧にプルアップされたトランジスタ２３とが設けられる。そして、分圧回路２１からのバイアス電圧が、入力同調回路６内のインダクタンス素子６ｃ、６ｄを介して第三及び第四のダイオード１５、１６のアノードに印加され、また、バイアス電圧は抵抗２４を介して第一及び第二のダイオード１４、１３のアノードにも印加される。
【００２２】
　そして、第三のダイオード１５及び第一のダイオード１４及び第四のダイオード１６のカソード同士の接続点が抵抗２５によってトランジスタ２３のコレクタに接続され、第二のダイオード１３のカソードも抵抗２６によってトランジスタ２３のコレクタに接続される。トランジスタ２３のコレクタは容量素子２７によって高周波的に接地される。
【００２３】
　なお、第二のダイオード１３を削除することも可能であるが、その場合にはインダクタンス素子１２が第二の入力端子１に結合され、抵抗２６は削除される。
【００２４】
　以上の構成において、トランジスタ２３をオンにすれば第一乃至第四の全てのダイオード１４、１３、１５、１６がオンとなる。これによって、第二の入力端１１に入力されたＦＭ放送信号は第二のダイオード１３、第一のダイオード１４、第三のダイオード１５、結合用容量素子５を直列に介して入力同調回路６に入力される。この場合、インダクタンス素子１２と第一及び第二の容量素子１７、１８とによってローパスフィルタが構成されるので、ＦＭ放送信号よりも高い周波数の信号はカットされる。
【００２５】
　なお、第一の入力端子１１にテレビジョン信号とＦＭ放送信号とを入力するシステムでは、ＦＭトラップ回路４の両端が第三のダイオード１５と第四のダイオード１６とによって短絡されるので、ＦＭ放送信号の受信が可能である。
【００２６】
　一方、トランジスタ２３をオフにすれば、第一乃至第四の全てのダイオード１４、１３、１５、１６がオフとなる。これによって、第一の入力端１に入力されたテレビジョン信号のみが入力同調回路６に入力される。この場合において、テレビジョン信号が通過するライン（第一の入力端子１と入力同調回路６との間の信号ライン）上には直列に介在するダイオードが無いため、ダイオードによるロスが発生しない。よってＮＦ（雑音指数）等の基本的な電気性能が改善される。
【００２７】
　また、第一及び第二のダイオード１４、１３のそれぞれの端子間の容量値は第一の容量素子１７及び第三の容量素子１８の容量値よりも極めて小さくなる。従って、第二の入力端子１１に入力されたＦＭ放送信号は各端子間の容量と第一及び第二の容量素子とによって分圧されるのでそのレベルが低くなる。よって、テレビジョン信号の通過するライン側（第一の入力端子１と入力同調回路６との間の信号ライン）に漏れるレベルが低くなってテレビジョン信号への重畳による妨害が大幅に軽減される。
【００２８】
　そして、図１から明らかなように、四個のダイオードとそれを制御する一個のトランジスタによってテレビジョン信号とＦＭ放送信号とを切り替えるようにしているので、使用する能動部品のみならずそれらの周辺部品も少なくなるので、回路構成が簡単となる。
【００２９】
　図１に示されるテレビジョンチューナの入力回路はプリント基板上に構成されるが、図２はＦＭ放送信号の通過ルートとなる第二のダイオード１３、インダクタンス素子１２、第一のダイオード１４の配置の一例を示す。プリント基板３０上には、第二のダイオード１３のカソードが接続される半田接続ランド３０ａと第一のダイオード１４のカソードが接続される半田接続ランド３０との間に二つの半田接続ランド３０ｃ、３０ｄが形成される。そして、半田接続ランド３０ａと３０ｃとの間に第二のダイオード１３が接続され、半田接続ランド３０ｃと３０ｄとの間にインダクタンス素子１２が接続され、半田接続ランド３０ｄと３０ｂとの間に第一のダイオード１４が接続される。
【００３０】
　また、インダクタンス素子１２と第一のダイオード１４とが接続される半田接続ランド３０ｄの近傍には接地された接地導体３０ｅが形成され、半田接続ランド３０ｄと接地導体３０ｅとの間に容量素子１８が接続される。さらに、半田接続ランド３０ａ、３０ｃ、３０ｄ、３０ｂの近傍にはトランジスタ２３のコレクタに接続された配線導体３０ｆが形成され、配線導体３０ｆと半田接続ランド３０ａとの間に抵抗２６が接続され、配線導体３０ｆと半田接続ランド３０ｂとの間に抵抗２５が接続される。
【００３１】
　配線導体３０ｆは第二のダイオード１３とクロスしてその下側を通るように延長され、延長された配線導体３０ｆの端部３０ｆ１と接地導体３０ｅとの間に容量素子２７が接続される。同様に、配線導体３０ｆは第一のダイオード１４とクロスしてその下側を通るように延長され、延長された配線導体３０ｆの端部３０ｆ２と接地導体３０ｅとの間に容量素子２７が接続される。従って、各ダイオード１３、１４とクロスした配線導体３０ｆは高周波的に接地される。この構成によれば、各半田接続ランド３０ａ、３０ｃ、３０ｄ、３０ｂと配線導体３０ｆとの間には図３の等価回路図に示すように浮遊容量Ｃｓ（容量値は通常１ｐＦ程度以下）が形成される。
【００３２】
　このような条件の下で第二及び第一のダイオード１３、１４がオフとなった場合（テレビジョン信号の受信時）、図３のように、それらは端子間容量Ｃｓ１３、Ｃｓ１４を有する容量素子と見なされるので、半田接続ランド３０ａに入力されたＦＭ放送信号は浮遊容量Ｃｓによって減衰し、さらに端子間容量Ｃｓ１３と浮遊容量Ｃｓおよび端子間容量Ｃｓ１４と浮遊容量Ｃｓの分圧によって減衰する。よって、入力同調回路６の入力端６ａにおいてテレビジョン信号に重畳されるＦＭ放送信号のレベルが極めて低くなり、ＦＭ放送信号によるテレビジョン信号への妨害が低減する。
【図面の簡単な説明】
【００３３】
【図１】本考案のテレビジョンチューナの入力回路の構成を示す回路図である。
【図２】本考案のテレビジョンチューナの入力回路における部品配置図である。
【図３】本考案のテレビジョンチューナの入力回路の等価回路図である。
【図４】従来のテレビジョンチューナの入力回路の構成を示す回路図である。
【符号の説明】
【００３４】
　１　第一の入力端子
　２　ＣＢトラップ回路
　３　ＩＦトラップ回路
　４　ＦＭトラップ回路
　５　結合用容量素子
　６　入力同調回路
　６ａ　入力端
　６ｂ　ダイオード
　６ｃ、６ｄ　インダクタンス素子
　７　抵抗
　１１　第二の入力端子
　１２　インダクタンス素子
　１３　第二のダイオード
　１４　第一のダイオード
　１５　第三のダイオード
　１６　第四のダイオード
　１７　第一の容量素子
　１８　第二の容量素子
　２１　分圧回路
　２２　給電抵抗
　２３　トランジスタ
　１４、２５、２６　抵抗
　２７　容量素子
　３０　プリント基板
　３０ａ、３０ｂ、３０ｃ、３０ｄ　半田接続ランド
　３０ｅ　接地導体
　３０ｆ　配線導体
【図１】
0003100016.tif 000003
【図２】
0003100016.tif 000004
【図３】
0003100016.tif 000005
【図４】
0003100016.tif 000006